(57)【特許請求の範囲】
【請求項１】
本体ケースと、前記本体ケースの中に、加湿フィルタと、この加湿フィルタに風を送るための送風手段と、前記加湿フィルタへ水を供給する水供給手段を備えた加湿装置において、前記水供給手段は、水の中の鉱物を除去する水処理手段と、この水処理手段に電源供給する直流電源供給手段を備え、前記水供給手段を前記本体ケースから取り外し可能とし、前記水処理手段を前記水供給手段から取り外し可能とし、取り外し時に前記水処理手段を洗浄できる構成とした加湿装置であって、水処理手段は、等間隔に配置した一対以上のスケール析出電極と対照電極手段で構成し、前記スケール析出電極と対照電極手段の間に水を電気分解しない電位差を生じさせて、表面にスケール成分を付着させるものであって、前記スケール析出電極と対照電極手段に沿うように配置した電極清掃用突起を設けた間隔保持部に保持し、水処理手段を水供給手段から取り外すことで電極清掃用突起との摩擦力により、前記表面に付着したスケールの除去を行う加湿装置。
【発明の詳細な説明】
【技術分野】
【０００１】
本発明は、室内の空気を加湿するために使用され、フィルタを有する加湿装置に関するものである。
【背景技術】
【０００２】
従来、この種の加湿装置に使用される水処理装置は、電気透析機構を用いたものが知られている（例えば、特許文献１参照）。
【０００３】
以下、その水処理装置について図５を参照しながら説明する。
【０００４】
図５に示すように、水タンク１０１内部には陽極１０２および陰極１０３が設けられ、その間には仕切壁を兼ねる複数のカチオン交換膜１０４とアニオン交換膜１０５を交互に配置され、水タンク１０１が電気透析機構を成している。これにより、被処理水１０６が電気透析によって浄化される。
【０００５】
また、この種の水処理装置には電極表面を導電性セラミックスから構成しているものがある（例えば、特許文献２参照）。
【０００６】
以下、その水処理装置について図６を参照しながら説明する。
【０００７】
図６に示すように、水処理装置２０１は、被処理水２０２が内部に貯留乃至通過する処理空間を区画する処理槽本体２０３と、前記処理空間内に少なくとも一部が配設され前記被処理水２０２に浸漬される陽極２０４と陰極２０５からなる一対の処理電極と、前記一対の処理電極に電圧を印加する電圧印加手段２０６とをもち、前記一対の電極のうちの少なくとも一方の電極は表面の一部が導電性セラミックスから形成されている。
【先行技術文献】
【特許文献】
【０００８】
【特許文献１】特開平６−１２９６７７号公報
【特許文献２】特開２００９−１０６９２５号公報
【発明の概要】
【発明が解決しようとする課題】
【０００９】
このような従来の加湿装置では、加湿フィルタに付着するスケールにより加湿量が低下するという課題があり、スケールを除去するとともに、除去したスケールを清掃して、加湿量の低下を長期間防ぐことが要求されている。
【００１０】
本発明は、このような従来の課題を解決するものであり、加湿フィルタに付着するスケールを水処理手段で低減させた後に水処理手段に付着したスケールを容易に掃除して、加湿量の低下を長期間防ぐことができる加湿装置を提供することを目的としている。
【課題を解決するための手段】
【００１１】
本発明の加湿装置は、上記目標を達成するために、本体ケースと、前記本体ケースの中に、加湿フィルタと、この加湿フィルタに風を送るための送風手段と、前記加湿フィルタへ水を供給する水供給手段を備えた加湿装置において、前記水供給手段は、水の中の鉱物を除去する水処理手段と、この水処理手段に電源供給する直流電源供給手段を備え、前記水供給手段を前記本体ケースから取り外し可能とし、前記水処理手段を前記水供給手段から取り外し可能とし、取り外し時に前記水処理手段を洗浄できる構成とした加湿装置であって、水処理手段は、等間隔に配置した一対以上のスケール析出電極と対照電極手段で構成し、前記スケール析出電極と対照電極手段の間に水を電気分解しない電位差を生じさせて、表面にスケール成分を付着させるものであって、前記スケール析出電極と対照電極手段に沿うように配置した電極清掃用突起を設けた間隔保持部に保持し、水処理手段を水供給手段から取り外すことで電極清掃用突起との摩擦力により、前記表面に付着したスケールの除去を行うことのできる構成としたものである。
【００１２】
この構成により加湿フィルタに付着するスケールを低減させ、かつ水処理手段に付着したスケールを簡単に除去することができ、加湿量の低下を長期間防ぐことができる加湿装置が得られる。
【発明の効果】
【００１３】
本発明によれば使用者の加湿フィルタを洗浄する手間を省き、安定して加湿することができるという効果のある加湿装置を提供できる。
【図面の簡単な説明】
【００１４】
【図１】本発明の実施の形態１の構成を示す断面図
【図２】同水供給手段を示す断面図
【図３】同水供給手段を示す分解図
【図４】本発明の実施の形態２の水供給手段を示す断面図
【図５】従来の加湿装置の水処理装置の一例を示す構成図
【図６】従来の加湿装置の水処理装置の一例を示す断面図
【発明を実施するための形態】
【００１５】
本発明の請求項１記載の発明は、本体ケースと、前記本体ケースの中に、加湿フィルタと、この加湿フィルタに風を送るための送風手段と、前記加湿フィルタへ水を供給する水供給手段を備えた加湿装置において、前記水供給手段は、水の中の鉱物を除去する水処理手段と、この水処理手段に電源供給する直流電源供給手段を備え、前記水供給手段を前記本体ケースから取り外し可能とし、前記水処理手段を前記水供給手段から取り外し可能とし、取り外し時に前記水処理手段を洗浄できる構成とした加湿装置であって、水処理手段は、等間隔に配置した一対以上のスケール析出電極と対照電極手段で構成し、前記スケール析出電極と対照電極手段の間に水を電気分解しない電位差を生じさせて、表面にスケール成分を付着させるものであって、前記スケール析出電極と対照電極手段に沿うように配置した電極清掃用突起を設けた間隔保持部に保持し、水処理手段を水供給手段から取り外すことで電極清掃用突起との摩擦力により、前記表面に付着したスケールの除去を行う構成としたものであり、水供給手段に水処理手段が備えられているため、スケール除去を確実に実行できるとともに、水供給手段が本体ケースから着脱して洗浄しやすいという作用を有し、更にスケール除去を実施すると水処理手段には、加湿フィルタへ供給した水の量に比例してスケールが徐々に積層されるため、定期的な水供給時に水処理手段を清掃できることが望ましく、水供給手段に水を供給するごとに、水処理手段を取り外して電極清掃用突起との摩擦力によりスケールの除去、洗浄ができることで、加湿フィルタにスケールが付着することを低減して、加湿フィルタの性能を劣化させることがないという作用を有する。
【００１６】
以下、本発明の実施の形態について図面を参照しながら説明する。
【００１７】
（実施の形態１）
まず実施の形態１の構成を示す。
【００１８】
図１に示すように、加湿装置１は、本体ケース２と、本体ケース２の中に加湿フィルタ３と、この加湿フィルタ３に風を送るための送風手段４と、加湿フィルタ３への水供給手段５を備えた構成である。
【００１９】
更に、水供給手段５の内部に、水の中の鉱物を除去する水処理手段１１を備え、水供給手段５は、本体ケース２から着脱することができ、水供給手段５の内部にある水処理手段１１に電源を供給する直流電源供給手段６を水供給手段５の外装部分に備えている。
【００２０】
すなわち、直流電源供給手段６を水と接触しない部分に設置したものである。
【００２１】
また、図２に示すように、水供給手段５は、被処理水１２を貯留する処理槽１３および水処理手段１１、蓋部材１８を備えている。図２では、水供給手段５を本体ケースから取り外した直後の向きになっており、図３では水供給手段５に水を供給する場合を示している。
【００２２】
また、図３に示すように、水処理手段１１は、被処理水１２に浸漬される一対以上のスケール析出電極１４および対照電極１５を備え、スケール析出電極１４が処理槽１３からの着脱時に電極清掃用突起１６に接触することで清掃されるものである。
【００２３】
スケール析出電極１４および対照電極１５は等間隔に配置した構成である。
【００２４】
水処理手段１１のスケール析出電極１４および対照電極１５は、水供給手段５の蓋部材１８に配置している。
【００２５】
水処理手段１１が円筒状に構成され、スケール析出電極１４の表面はネジ構造である。
【００２６】
また、スケール析出電極１４と対照電極１５は等間隔に配置されており、これらの電極の間隔を保持するための間隔保持部１７の表面に、電極清掃用突起１６を設けている。
【００２７】
電極清掃用突起１６は、平板状の電極に沿うようスリット状に配置されている。
【００２８】
スケール析出電極１４および対照電極１５は、水供給手段５の蓋部材１８に固定されており、蓋部材１８を着脱することにより、同時に着脱できるようになっている。また、蓋部材１８には、前記スケール析出電極１４および対照電極１５に電圧を印加するための接点１９を設けている。また、水処理手段１１への給水およびスケール除去した水の採水は給水口兼採水口２０より行う。給水時には、給水口兼採水口２０が水処理手段１１の上部に位置するようにし、採水時には、給水口兼採水口２０が水処理手段１１の下部に位置するように水処理手段１１の向きを逆転させながら使用することにより、漏水を防止したり、給水や採水を容易にすることができるという効果を得ることができる。
【００２９】
今回の構成では、蓋部材１８と給水口兼採水口２０を兼用することができる。
【００３０】
図３に示すように、直流電源供給手段６には、着脱可能な一次電池７を使用している。
【００３１】
ここで、直流電源供給手段６が放電した場合には、放電確認サインを表示する表示部１０を備えている。
【００３２】
次に、実施の形態１の作用および効果を示す。
【００３３】
図２に示すように、水処理手段１１に直流電源供給手段６から電源を供給すると、水処理手段１１を構成するスケール析出電極１４と対照電極１５の間に電位差が生じる。するとスケール析出電極１４の表面に被処理水１２の内部に溶け込んでいるスケール成分が付着する。
【００３４】
このとき直流電源供給手段６の供給電圧を１．５Ｖ以下にすることで、水を電気分解するなどの余分なエネルギーを使うことがないものである。
【００３５】
図３に示すように、水供給手段５から蓋部材１８は着脱することができ、それにより水供給手段５に水道などを使用して、水を供給することができる。また蓋部材１８には、スケール析出電極１４および対照電極１５が備えられているため、蓋部材１８を着脱すればそのままスケール析出電極１４および対照電極１５も水供給手段５から取り外すことができる。ここで、蓋部材１８を着脱する動作によってスケール析出電極１４および対照電極１５と電極清掃用突起１６とが接触し、そのときに発生する摩擦力により、スケール析出電極１４表面に付着したスケールを除去できる。これにより、スケール析出電極１４の表面に付着したスケールを容易に除去できるという効果を得ることができる。電極清掃用突起１６として、エンボス状のもの、ブラシ状のもの、板状のものなどを用いることにより、スケールの除去がより容易になる。これらを組み合わせて使用しても良い。
【００３６】
スケール析出電極１４および対照電極１５の材質としては、導電性を有する材料であれば良い。金属やカーボン、導電性セラミックスやそれらの複合材料などを用いることができるが、水処理の際には電圧を印加し電子の移動が生じるため、材質としてイオン化傾向の小さいものを選択することにより、電極の寿命を長く確保することができるようになる。たとえば、金属チタンや白金、グラファイトを、そのまま電極材質としても良いし、またはそれらを安価な電極基材表面に被覆処理して得たものなどを用いることができる。
【００３７】
また、スケール析出電極１４と対照電極１５を、二対以上設ければ、スケールの除去効果はより高まる。その場合においても、スケール析出電極１４が着脱と同時に清掃されることにより、その清掃工程は電極一対の場合に対して増えることがなく、容易に実施できるため、高いユーザーベネフィットを得ることができる。電極の数についてはとくに制約するものではない。必要な水量および水中のスケール成分に対して、処理可能な面積を確保していれば良い。
【００３８】
電極のサイズについてはとくに制約するものではない。必要な水量および水中のスケール成分に対して、処理可能な面積を確保していれば良い。平板状電極の場合、その厚みについてもとくに制約するものではなく、水処理手段１１の内部で、反りや歪みなどを起こさずに形状を維持できるものであれば良い。
【００３９】
スケール析出電極１４と対照電極１５の配置間隔が接近していれば、電極間に電流が流れやすくなり、スケール処理効率を高めることができる。その間隔は電極清掃用突起１６を配置するのに十分な間隔を確保しながら接近させることが好ましい。
【００４０】
着脱する電極は、必ずしもスケール析出電極１４と対照電極１５の双方とする必要はなく、対照電極１５は装置に固定し、スケール析出電極１４のみを着脱可能としても良い。
【００４１】
また、スケール析出電極１４と対照電極１５を平行に配置することにより、スケール析出電極１４の表面に均一にスケールを付着させることができるために、電極面積に対するスケール処理効率を高めることができる。
【００４２】
さらに、図２に示すように、これらのスケール析出電極１４と対照電極１５との間隔を保持するための間隔保持部１７が、電極清掃用突起１６を兼用することにより、水処理に関連する部材を簡略化することができる。
【００４３】
水供給手段５は洗浄される場合があるが、直流電源供給手段を防水する防水手段は備えられている。
【００４４】
（実施の形態２）
本発明の実施の形態２は、実施の形態１と同一部分については同一番号を付し、詳細な説明は省略する。
【００４５】
図４に示すように、直流電源供給手段６に二次電池８を使用することで、二次電池８が放電した場合に交換が不要になる構成である。
【００４６】
ここで、二次電池８に本体ケース２から充電が可能な構成である。
【００４７】
また、二次電池８に本体ケース２から無接点充電が可能となるように無接点充電部９を備えている。
【００４８】
本体ケース２には、商用電源（図示せず）が接続されており、その交流電源を直流電源供給手段６にて直流電流に変換して、二次電池８に充電を行っている。
【００４９】
二次電池８は、無接点充電部９により電磁誘導を行うことで、充電することができる。
【産業上の利用可能性】
【００５０】
本発明にかかる加湿装置に使用される電極清掃方法および水処理装置は、電極を着脱することにより、電極表面に付着したスケールを容易に除去することを可能とするものであり、浴室に使用されるミスト発生装置など水を利用する機器に使用される水処理装置として有用である。
【符号の説明】
【００５１】
１    加湿装置
２    本体ケース
３    加湿フィルタ
４    送風手段
５    水供給手段
６    直流電源供給手段
７    一次電池
８    二次電池
９    無接点充電部
１０  表示部
１１  水処理手段
１２  被処理水
１３  処理槽
１４  スケール析出電極
１５  対照電極
１６  電極清掃用突起
１７  間隔保持部
１８  蓋部材
１９  接点
２０  給水口兼採水口
【図１】
0005493692.tif 000002
【図２】
0005493692.tif 000003
【図３】
0005493692.tif 000004
【図４】
0005493692.tif 000005
【図５】
0005493692.tif 000006
【図６】
0005493692.tif 000007